(57)【要約】【解決手段】本発明は、身体的な活動中に適応性のあるオーディオ再生のためのオーディオ・システムを提供し、  １つ以上のオーディオ源（３，４）を有し、且つ前記１つ以上のオーディオ源（３，４）によって提供される１つ以上の源信号（Ｓ１，Ｓ２）に基づいてオーディオ信号（ＡＳ）を出力するように構成されるオーディオ・プレーヤー（２）と、  前記オーディオ信号（ＡＳ）に影響を及ぼす、前記オーディオ・プレーヤー（２）の１つ以上の設定（ＶＳ，ＥＳ，ＳＯ，ＣＳ１，ＣＳ２）を制御するように構成される制御装置（５）とを備え、  前記制御装置（５）は、前記オーディオ・プレーヤー（２）の前記１つ以上の設定（ＶＳ，ＥＳ，ＳＯ，ＣＳ１，ＣＳ２）のためにユーザーの好み（ＵＰ）を入力するように構成されるユーザー・インターフェイス（８）を備え、  前記制御装置（５）は、ユーザーの好み（ＵＰ）と前記オーディオ・システム（１）のユーザーの身体的な負担に対応する１つ以上のセンサー信号（ＳＥ１，ＳＥ２）の値とを相関させるように構成され、前記制御装置（５）のメモリー（１０）において前記ユーザーの好み（ＵＰ）および前記１つ以上のセンサー信号（ＳＥ１，ＳＥ２）の前記相関値を保存するようにさらに構成され、且つ前記１つ以上のセンサー信号（ＳＥ１，ＳＥ２）に基づいて、且つ前記メモリー（１０）において保存される前記ユーザーの好み（ＵＰ）および前記１つ以上のセンサー信号（ＳＥ１，ＳＥ２）の前記相関値に基づいて、前記オーディオ・プレーヤー（２）の前記１つ以上の設定（ＶＳ，ＥＳ，ＳＯ，ＣＳ１，ＣＳ２）を制御するようにさらに構成される、処理装置（９）を備える。【選択図】図１
2017524149.tif 000002
【特許請求の範囲】
【請求項１】
身体的な活動中に適応性のあるオーディオ再生のためのオーディオ・システムであって、
前記オーディオ・システムは、
１つ以上のオーディオ源（３，４）を有し、且つ前記１つ以上のオーディオ源（３，４）によって提供される１つ以上の源信号（Ｓ１，Ｓ２）に基づいてオーディオ信号（ＡＳ）を出力するように構成されるオーディオ・プレーヤー（２）と、
前記オーディオ信号（ＡＳ）に影響を及ぼす、前記オーディオ・プレーヤー（２）の１つ以上の設定（ＶＳ，ＥＳ，ＳＯ，ＣＳ１，ＣＳ２）を制御するように構成される制御装置（５）とを備え、
前記制御装置（５）は、前記オーディオ・プレーヤー（２）の前記１つ以上の設定（ＶＳ，ＥＳ，ＳＯ，ＣＳ１，ＣＳ２）のためにユーザーの好み（ＵＰ）を入力するように構成されるユーザー・インターフェイス（８）を備え、
前記制御装置（５）は、ユーザーの好み（ＵＰ）と前記オーディオ・システム（１）のユーザーの身体的な負担に対応する１つ以上のセンサー信号（ＳＥ１，ＳＥ２）の値とを相関させるように構成され、前記制御装置（５）のメモリー（１０）において前記ユーザーの好み（ＵＰ）および前記１つ以上のセンサー信号（ＳＥ１，ＳＥ２）の前記相関値を保存するようにさらに構成され、且つ前記１つ以上のセンサー信号（ＳＥ１，ＳＥ２）に基づいて、且つ前記メモリー（１０）において保存される前記ユーザーの好み（ＵＰ）および前記１つ以上のセンサー信号（ＳＥ１，ＳＥ２）の前記相関値に基づいて、前記オーディオ・プレーヤー（２）の前記１つ以上の設定（ＶＳ，ＥＳ，ＳＯ，ＣＳ１，ＣＳ２）を制御するようにさらに構成される、処理装置（９）を備える。
【請求項２】
先行する請求項に係るオーディオ・システムであって、前記１つ以上のセンサー信号（ＳＥ１，ＳＥ２）は、前記ユーザーの生物学的なパラメーターを検出するように構成される１つ以上のバイオ・センサー（６）の１つ以上のセンサー信号（ＳＥ１）を備える。
【請求項３】
先行する請求項に係るオーディオ・システムであって、前記１つ以上のバイオ・センサー（６）の前記１つ以上の信号（ＳＥ１）は、体温センサーの信号、パルス・センサーの信号、呼吸運動センサーの信号、呼吸流量センサーの信号、パルス酸素測定センサーの信号、血圧計の信号、カプノグラフの信号および／または最大酸素摂取量センサーの信号を備える。
【請求項４】
先行する請求項のうちの１つに係るオーディオ・システムであって、前記１つ以上のセンサー信号（ＳＥ１，ＳＥ２）は、前記ユーザーの身体的な活動に関連するパラメーターを検出するように構成される１つ以上の活動センサー（７）の１つ以上の信号（ＳＥ２）を備える。
【請求項５】
先行する請求項に係るオーディオ・システムであって、１つ以上の活動センサー（７）の前記１つ以上の信号は、歩数計の信号、距離計の信号および／または活動タイム・キーパーの信号を備える。
【請求項６】
先行する請求項のうちの１つに係るオーディオ・システムであって、前記制御装置（５）は、前記オーディオ・システム（１）のユーザーの身体的な負担に対応する前記１つ以上のセンサー信号（ＳＥ１，ＳＥ２）を提供するように構成される１つ以上のセンサー（６，７）を備える。
【請求項７】
先行する請求項に係るオーディオ・システムであって、前記１つ以上のセンサー（６，７）は、前記ユーザーの生物学的なパラメーターを検出するように構成される１つ以上のバイオ・センサー（６）を備える。
【請求項８】
請求項６または７に係るオーディオ・システムであって、前記１つ以上のバイオ・センサー（６）は、体温センサー、パルス・センサー、呼吸運動センサー、呼吸流量センサー、パルス酸素測定センサー、血圧計、カプノグラフおよび／または最大酸素摂取量センサーを備える。
【請求項９】
請求項６〜８のうちの１つに係るオーディオ・システムであって、前記１つ以上のセンサー（６，７）は、前記ユーザーの身体的な活動に関連するパラメーターを検出するように構成される１つ以上の活動センサー（７）を備える。
【請求項１０】
請求項６〜９のうちの１つに係るオーディオ・システムであって、前記１つ以上の活動センサー（７）は、歩数計、距離計および／または活動タイム・キーパーを備える。
【請求項１１】
先行する請求項のうちの１つに係るオーディオ・システムであって、前記１つ以上の設定（ＶＳ，ＥＳ，ＳＯ，ＣＳ１，ＣＳ２）は、ボリューム制御設定（ＶＳ）、イコライザー制御設定（ＥＳ）、オーディオ源選択設定（ＳＯ）、ダイナミック・レンジ圧縮制御設定（ＤＳ）および／またはオーディオ・コンテンツ選択設定（ＣＳ１，ＣＳ２）を備える。
【請求項１２】
先行する請求項のうちの１つに係るオーディオ・システムであって、前記１つ以上のオーディオ源（３，４）は、リモート・オーディオ・データ（ＲＤ）に基づいて前記源信号（Ｓ１）の１つを提供するために構成されるオーディオ・データ・レシーバー（３）を備える。
【請求項１３】
先行する請求項のうちの１つに係るオーディオ・システムであって、前記１つ以上のオーディオ源（３，４）は、ローカル・オーディオ・データ（ＬＤ）に基づいて前記源信号（Ｓ２）の１つを提供するために構成されるオーディオ・データ・リーダー（４）を備える。
【請求項１４】
先行する請求項のうちの１つに係るオーディオ・システムであって、前記処理装置（９）は、環境音響（ＡＢ）の物理的な特性に対応する１つ以上の測定信号（ＭＳ）に基づいて前記オーディオ・プレーヤーの前記１つ以上の設定を制御するように構成される。
【請求項１５】
先行する請求項に係るオーディオ・システムであって、前記制御装置（５）は、環境音響（ＡＢ）の前記物理的な特性に対応する前記１つ以上の測定信号（ＭＳ）を提供するために構成される１つ以上のセンサー（１２）を備える。
【請求項１６】
先行する請求項に係るオーディオ・システムであって、前記処理装置（９）は、ユーザーの好み（ＵＰ）と環境音響（ＡＢ）の前記物理的な特性に対応する前記測定信号（ＭＳ）の値とを相関させるように構成され、前記メモリー（１０）において前記ユーザーの好み（ＵＰ）および環境音響（ＡＢ）の前記物理的な特性の前記相関値を保存するようにさらに構成され、且つ前記メモリー（１０）において保存される前記ユーザーの好み（ＵＰ）および環境音響（ＡＢ）の前記物理的な特性の前記相関値に基づいて前記オーディオ・プレーヤー（２）の前記１つ以上の設定（ＶＳ，ＥＳ，ＳＯ，ＣＳ１，ＣＳ２）を制御するようにさらに構成される。
【請求項１７】
身体的な活動中に適応性のあるオーディオ再生のための方法であって、
前記オーディオ再生のための方法は、
１つ以上のオーディオ源（３，４）を有し、且つ前記１つ以上のオーディオ源（３，４）によって提供される１つ以上の源信号に基づいてオーディオ信号（ＡＳ）を出力するように構成されるオーディオ・プレーヤー（２）を提供するステップと、
前記オーディオ信号（ＡＳ）に影響を及ぼす、前記オーディオ・プレーヤー（２）の１つ以上の設定（ＶＳ，ＥＳ，ＳＯ，ＣＳ１，ＣＳ２）を制御するように構成される制御装置（５）を提供するステップと、
前記制御装置（５）の１つ以上のセンサー（６，７）を用いることによって、前記オーディオ・システム（１）のユーザーの身体的な負担に対応する１つ以上のセンサー信号（ＳＥ１，ＳＥ２）を提供するステップと、
前記制御装置（５）のユーザー・インターフェイスで、前記オーディオ・プレーヤー（２）の前記１つ以上の設定（ＶＳ，ＥＳ，ＳＯ，ＣＳ１，ＣＳ２）のためにユーザーの好み（ＵＰ）を入力するステップと、
前記制御装置（５）の処理装置（９）を用いることによって、ユーザーの好み（ＵＰ）と前記１つ以上のセンサー信号（ＳＥ１，ＳＥ２）の値とを相関させるステップと、
前記制御装置（５）の前記処理装置（９）を用いることによって、前記制御装置のメモリー（１０）において前記ユーザーの好み（ＵＰ）および前記１つ以上のセンサー信号（ＳＥ１，ＳＥ２）の前記相関値を保存するステップと、
前記制御装置（５）の前記処理装置（９）を用いることによって、前記１つ以上のセンサー信号（ＳＥ１，ＳＥ２）に基づいて、且つ前記メモリー（１０）において保存される前記ユーザーの好み（ＵＰ）および前記１つ以上のセンサー信号（ＳＥ１，ＳＥ２）の前記相関値に基づいて、前記オーディオ・プレーヤー（２）の前記１つ以上の設定（ＶＳ，ＥＳ，ＳＯ，ＣＳ１，ＣＳ２）を制御するステップとを備える。
【請求項１８】
コンピュータまたは処理装置で動作するとき、請求項１１の方法を実行するコンピュータ・プログラム。
【発明の詳細な説明】
【背景技術】
【０００１】
何百万という人々が、拡声器を介して聞くことだけでなく、ヘッドホンを介して聞くことの両方を含み得る音楽に合わせて毎日エクササイズする。多くの活動的なスポーツマン／スポーツウーマンが、身体的なエクササイズの程度が増すことに伴って、音響変化の知覚を報告する。これは、騒々しい音響に対して増大する感度、または例えば高周波音響の特に知覚される苛立ちを含み得る。報告された対応策は、ボリュームを低く調整すること、音楽のタイプを変更すること、イコライザーの設定を変更することおよび／または音楽のスイッチを切ることを含む。
【０００２】
いずれにせよ、これらの対応策のそれぞれは、従来のオーディオ・システムを用いる場合、個々のユーザーの明確な行動を必要とする。
【０００３】
そのうえ、増加した不快に対する個々の脆弱性および好ましい対応策は、ユーザーの間で広く相違し得る。
【発明の概要】
【発明が解決しようとする課題】
【０００４】
本発明の目的は、ユーザーの個々の要求に応じて、ユーザーの身体的な活動中に音響再生を自動的に適応させることが可能な、オーディオ・システムおよび方法を提供することである。
【課題を解決するための手段】
【０００５】
この目的は、身体的な活動中に適応性のあるオーディオ再生のためのオーディオ・システムによって達成され、オーディオ・システムは、
１つ以上のオーディオ源を有し、且つ１つ以上のオーディオ源によって提供される１つ以上の源信号に基づいてオーディオ信号を出力するように構成されるオーディオ・プレーヤーと、
オーディオ信号に影響を及ぼす、オーディオ・プレーヤーの１つ以上の設定を制御するように構成される制御装置とを備える。
制御装置は、オーディオ・プレーヤーの１つ以上の設定のためにユーザーの好みを入力するように構成されるユーザー・インターフェイスを備える。
制御装置は処理装置を備える。処理装置は、ユーザーの好みとオーディオ・システムのユーザーの身体的な負担に対応する１つ以上のセンサー信号の値とを相関させるように構成され、制御装置のメモリーにおいてユーザーの好みおよび１つ以上のセンサー信号の相関値を保存するようにさらに構成され、且つ１つ以上のセンサー信号に基づいて、且つメモリーにおいて保存されるユーザーの好みおよび１つ以上のセンサー信号の相関値に基づいて、オーディオ・プレーヤーの１つ以上の設定を制御するようにさらに構成される。
【０００６】
オーディオ・プレーヤーは、アナログまたはデジタル・オーディオ・プレーヤーの任意の既知のタイプであり得る。オーディオ・プレーヤーによって提供されるオーディオ信号は、可聴音を作り出すために、ヘッドホン、拡声器または他の装置へと直接的または間接的に入力され得る。
【０００７】
制御装置は、出力オーディオ信号に影響する、オーディオ・プレーヤーの少なくとも１つの設定を制御することが可能な任意のアナログまたはデジタル制御装置であり得る。用語「設定（ｓｅｔｔｉｎｇ）」は、ここでは任意の変数パラメーターに言及し、出力信号を作り出すために、オーディオ・プレーヤーによって用いられる。
【０００８】
そのうえ、少なくとも１つのセンサー信号は、任意のセンサー信号であり得、オーディオ・システムのユーザーの身体的な拘束または身体的なストレスに直接的または間接的に対応する。ユーザー・インターフェイスは、任意の既知のタイプ、例えば、キーボードまたはタッチ・スクリーンであり得る。
【０００９】
本発明に係る制御装置は、少なくとも１つのセンサー信号が入力され、且つユーザー・インターフェイスが接続される処理装置を備える。用語「処理装置（ｐｒｏｃｅｓｓｏｒ）」は、次のタスクを実施することが可能な、ハードウェア、ソフトウェア、またはハードウェアとソフトウェアの組合せに言及する。ユーザーの好みと１つ以上のセンサー信号の値とを相関させ、制御装置のメモリーにおいてユーザーの好みおよび１つ以上のセンサー信号の相関値を保存し、且つ１つ以上のセンサー信号に基づいて、且つメモリーにおいて保存されるユーザーの好みおよび１つ以上のセンサー信号の相関値に基づいて、オーディオ・プレーヤーの１つ以上の設定を制御する。
【００１０】
ユーザーの好みと少なくとも１つのセンサー信号の値とを相関させることによって、処理装置は、ユーザーの身体的な負担に基づいて音響の個々の知覚についての情報を集める。ユーザーの好みおよび少なくとも１つのセンサー信号の相関値が保存されるので、音響の個々の知覚についての情報は、オーディオ・プレーヤーによってオーディオ信号出力を適応させるために後で用いられ得る。ユーザーが相違する身体的な活動状態におけるユーザーの好みを入力するほど、集められる情報はますます正確になる。
【００１１】
１つ以上のセンサー信号に基づいて、且つメモリーにおいて保存されるユーザーの好みおよび１つ以上のセンサー信号の相関値に基づいて、オーディオ・プレーヤーの１つ以上の設定を制御することによって、オーディオ信号は、ユーザーの身体的な負担状態へと適応され得る。それは、身体的な負担に基づいてユーザーの音響の個々の知覚を考慮する、センサー信号によって表現される。それは、メモリーにおいて保存されるユーザーの好みおよびセンサー信号の相関値によって表現される。
【００１２】
本発明に係るオーディオ・システムは、身体的なストレスの強度が変化したとき、オーディオ・プレーヤーの設定を再調節する必要性を減じることによって、任意のユーザーの快適性を著しく改善し得る。さらに、任意のユーザーの快適性は、身体的な活動中に不快な音響という結果になり得るオーディオ・プレーヤーの設定を自動的に回避することによって改善され得る。
【００１３】
本発明の好ましい実施形態によれば、１つ以上のセンサー信号は、ユーザーの生物学的なパラメーターを検出するように構成される１つ以上のバイオ・センサーの１つ以上のセンサー信号を備える。
【００１４】
本発明の好ましい実施形態によれば、１つ以上のバイオ・センサーの１つ以上の信号は、体温センサーの信号、パルス・センサーの信号、呼吸運動センサーの信号、呼吸流量センサーの信号、パルス酸素測定センサーの信号、血圧計の信号、カプノグラフの信号および／または最大酸素摂取量センサーの信号を備える。
【００１５】
本発明の好ましい実施形態によれば、１つ以上のセンサー信号は、ユーザーの身体的な活動に関連するパラメーターを検出するように構成される１つ以上の活動センサーの１つ以上の信号を備える。
【００１６】
本発明の好ましい実施形態によれば、１つ以上の活動センサーの１つ以上の信号は、歩数計の信号、距離計の信号および／または活動タイム・キーパーの信号を備える。
【００１７】
本発明の好ましい実施形態によれば、制御装置は、オーディオ・システムのユーザーの身体的な負担に対応する１つ以上のセンサー信号を提供するように構成される１つ以上のセンサーを備える。
【００１８】
本発明の好ましい実施形態によれば、１つ以上のセンサーは、ユーザーの生物学的なパラメーターを検出するように構成される１つ以上のバイオ・センサーを備える。ここで用いられるような用語「バイオ・センサー」は、人間でまたはの中に身体的および化学的な生命現象を測定する装置に言及する。そのようなセンサーは、直接的に且つリアル・タイムでオーディオ・システムのユーザーの身体的な負担を検出することを可能にする。
【００１９】
本発明の好ましい実施形態によれば、１つ以上のバイオ・センサーは、体温センサー、パルス・センサー、呼吸運動センサー、呼吸流量センサー、パルス酸素測定センサー、血圧計、カプノグラフおよび／または最大酸素摂取量センサーを備える。
【００２０】
本発明の好ましい実施形態によれば、１つ以上のセンサーは、ユーザーの身体的な活動に関連するパラメーターを検出するように構成される１つ以上の活動センサーを備える。そのようなパラメーターは、活動の継続時間、強度および／またはタイプを記述する全てのパラメーターを含む。活動センサーは、身体的な負担という結果になる最終的な活動のように直接的にオーディオ・システムのユーザーの身体的な負担を検出することを可能にする。活動センサーおよびバイオセンサーの両方は、排他的にまたは互いに組み合わせて用いられ得る。
【００２１】
本発明の好ましい実施形態によれば、１つ以上の活動センサーは、歩数計、距離計および／または活動タイム・キーパーを備える。
【００２２】
本発明の好ましい実施形態によれば、１つ以上の設定は、ボリューム制御設定、イコライザー制御設定、オーディオ源選択設定、ダイナミック・レンジ圧縮制御設定および／またはオーディオ・コンテンツ選択設定を備える。
【００２３】
ボリューム制御設定は、オーディオ・プレーヤーのボリューム制御でオーディオ信号のボリュームを設定するために用いられ得る。ボリューム制御設定を適応することによって、ボリュームは、身体的なストレスに基づいてユーザーのボリュームの個々の知覚に従って自動的に制御され得る。
【００２４】
イコライザー制御設定は、オーディオ・プレーヤーのイコライザーでオーディオ・プレーヤーの周波数応答を制御するために用いられ得る。イコライザー制御設定を適応することによって、オーディオ信号の度数分布は、身体的なストレスに基づいてユーザーの度数分布の個々の知覚に従って自動的に制御され得る。
【００２５】
ダイナミック・レンジ圧縮制御設定は、オーディオ・プレーヤーのコンプレッサー／エキスパンダーで、オーディオ信号のダイナミック・レンジを設定するために用いられ得る。これは、とりわけ、知覚される音量および鮮明さに影響を及ぼすだろう。ダイナミック・レンジ圧縮制御設定を適応することによって、圧縮／拡張は、身体的なストレスに基づいてユーザーの個々の知覚に従って自動的に制御され得る。
【００２６】
オーディオ源選択設定は、そのような実施形態においてさらに処理する源信号を選択するために用いられ得る。オーディオ・プレーヤーは、オーディオ・プレーヤーの源選択段階で、複数のオーディオ源を備える。選択信号は、ボリューム制御へと転送され得、その後でボリューム制御信号としてイコライザーへと転送され、且つその後でコンプレッサー／エキスパンダーへとボリューム制御および等化信号として転送される。しかしながら、ボリューム制御、イコライザーおよび／またはコンプレッサー／エキスパンダーの順序は変更され得る。
【００２７】
そのうえ、オーディオ・コンテンツ選択設定は、特定のオーディオ源の源信号のコンテンツを制御するために用いられ得る。用語「オーディオ・コンテンツ選択」は、とりわけ、コンテンツのタイプ、例えば、スピーチまたは音楽を選択すること、スピーチのジャンル、例えば、ニュースまたはフィクションを選択すること、音楽のジャンル、例えば、ビートまたはソウルを選択すること、具体的なパラメーター、例えば、リズムおよびスピードを有する音楽を選択すること、または所定のプレイリストを選択することに言及する。オーディオ・コンテンツ選択設定を適応することによって、オーディオ信号のオーディオ・コンテンツは、身体的なストレスに基づいてユーザーのオーディオ・コンテンツの個々の知覚に従って自動的に制御され得る。
【００２８】
本発明の好ましい実施形態によれば、１つ以上のオーディオ源は、リモート・オーディオ・データに基づいて源信号を提供するために構成されるオーディオ・データ・レシーバーを備える。リモート・オーディオ・データは、オーディオ・プレーヤーでローカルに保存されないそのようなオーディオ・データである。レシーバーは、インターネット・ラジオ・レシーバーを含むアナログまたはデジタル・ラジオ・レシーバー、または他のインターネット・サービスを受け取るように構成されるレシーバーであり得る。
【００２９】
本発明の好ましい実施形態によれば、１つ以上のオーディオ源は、ローカル・オーディオ・データに基づいて源信号を提供するために構成されるオーディオ・データ・リーダーを備える。オーディオ・データ・リーダーは、例えば、ＭＰ３デコーダまたはｗａｖファイル・デコーダであり得る。オーディオ・データは、ハード・ドライブ、固体メモリー、ＣＤまたはＤＶＤからのようなローカルに利用可能なオーディオ・データ・キャリアから読み出され得る。
【００３０】
本発明の好ましい実施形態によれば、処理装置は、環境音響の物理的な特性に対応する１つ以上の測定信号に基づいてオーディオ・プレーヤーの１つ以上の設定を制御するように構成される。
【００３１】
本発明の好ましい実施形態によれば、制御装置は、環境音響の物理的な特性に対応する１つ以上の測定信号を提供するために構成される１つ以上のセンサーを備える。処理装置は、環境音響の物理的な特性に基づいてオーディオ・プレーヤーの１つ以上の設定を制御するように構成される。これらの特徴によって、オーディオ信号は、環境音響の総計および／または特性へと適応され得る。
【００３２】
本発明の好ましい実施形態によれば、処理装置は、ユーザーの好みと環境音響の物理的な特性の値とを相関させるように構成され、メモリーにおいてユーザーの好みおよび環境音響の物理的な特性の相関値を保存するようにさらに構成され、且つメモリーにおいて保存されるユーザーの好みおよび環境音響の物理的な特性の相関値に基づいてオーディオ・プレーヤーの１つ以上の設定を制御するようにさらに構成される。これらの特徴によって、オーディオ信号は、ユーザーによる環境音響の個々の知覚に従って適応され得る。
【００３３】
本発明の目的は、身体的な活動中に適応性のあるオーディオ再生のための方法によってさらに達成され、オーディオ再生のための方法は、
１つ以上のオーディオ源を有し、且つ１つ以上のオーディオ源によって提供される１つ以上の源信号に基づいてオーディオ信号を出力するように構成されるオーディオ・プレーヤーを提供するステップと、
オーディオ信号に影響を及ぼす、オーディオ・プレーヤーの１つ以上の設定を制御するように構成される制御装置を提供するステップと、
オーディオ・システムのユーザーの身体的な負担に対応する１つ以上のセンサー信号を提供するステップと、
制御装置のユーザー・インターフェイスで、オーディオ・プレーヤーの１つ以上の設定のためにユーザーの好みを入力するステップと、
制御装置の処理装置を用いることによって、ユーザーの好みと１つ以上のセンサー信号の値とを相関させるステップと、
制御装置の処理装置を用いることによって、制御装置のメモリーにおいてユーザーの好みおよび１つ以上のセンサー信号の相関値を保存するステップと、
制御装置の処理装置を用いることによって、１つ以上のセンサー信号に基づいて、且つメモリーにおいて保存されるユーザーの好みおよび１つ以上のセンサー信号の相関値に基づいて、オーディオ・プレーヤーの１つ以上の設定を制御するステップとを備える。
【００３４】
さらに、本発明の目的は、コンピュータまたは処理装置で動作するとき、発明の方法を実行するコンピュータ・プログラムによって達成される。
【００３５】
発明の好ましい実施形態は、次の添付図面に関して続いて説明される。
【図面の簡単な説明】
【００３６】
【図１】図１は、概略図で、本発明に係るオーディオ・システムの第１の実施形態を図解する。
【図２】図２は、概略図で、本発明に係るオーディオ・システムの第２の実施形態を図解する。
【図３】図３は、概略図で、本発明に係るオーディオ・システムの制御装置の一実施形態を図解する。
【発明を実施するための形態】
【００３７】
図１は、身体的な活動中に適応性のあるオーディオ再生のためのオーディオ・システム１の第１の実施形態を図解し、オーディオ・システム１は、
１つ以上のオーディオ源３，４を有し、且つ１つ以上のオーディオ源３，４によって提供される１つ以上の源信号Ｓ１，Ｓ２に基づいてオーディオ信号ＡＳを出力するように構成されるオーディオ・プレーヤー２と、
オーディオ信号ＡＳに影響を及ぼす、オーディオ・プレーヤー２の１つ以上の設定ＶＳ，ＥＳ，ＳＯ，ＣＳ１，ＣＳ２を制御するように構成される制御装置５とを備える。
制御装置５は、オーディオ・プレーヤー２の１つ以上の設定ＶＳ，ＥＳ，ＳＯ，ＣＳ１，ＣＳ２のためにユーザーの好みＵＰを入力するように構成されるユーザー・インターフェイス８を備える。
制御装置５は処理装置９を備える。処理装置９は、ユーザーの好みＵＰとオーディオ・システム１のユーザーの身体的な負担に対応する１つ以上のセンサー信号ＳＥ１，ＳＥ２の値とを相関させるように構成され、制御装置５のメモリー１０においてユーザーの好みＵＰおよび１つ以上のセンサー信号ＳＥ１，ＳＥ２の相関値を保存するようにさらに構成され、且つ１つ以上のセンサー信号ＳＥ１，ＳＥ２に基づいて、且つメモリー１０において保存されるユーザーの好みＵＰおよび１つ以上のセンサー信号ＳＥ１，ＳＥ２の相関値に基づいて、オーディオ・プレーヤーの１つ以上の設定ＶＳ，ＥＳ，ＳＯ，ＣＳ１，ＣＳ２を制御するようにさらに構成される。
【００３８】
オーディオ・プレーヤー２は、アナログまたはデジタル・オーディオ・プレーヤー２の任意の既知のタイプであり得る。オーディオ・プレーヤー２によって提供されるオーディオ信号ＡＳは、可聴音を作り出すために、ヘッドホン、拡声器または他の装置へと直接的または間接的に入力され得る。
【００３９】
制御装置５は、出力オーディオ信号ＡＳに影響する、オーディオ・プレーヤー２の少なくとも１つの設定ＶＳ，ＥＳ，ＳＯ，ＣＳ１，ＣＳ２を制御することが可能な任意のアナログまたはデジタル制御装置５であり得る。用語「設定」は、ここでは任意の変数パラメーターに言及し、出力信号ＡＳを作り出すために、オーディオ・プレーヤー２によって用いられる。
【００４０】
そのうえ、少なくとも１つのセンサー信号ＳＥ１，ＳＥ２は、任意のセンサー信号ＳＥ１，ＳＥ２であり得、オーディオ・システム１のユーザーの身体的な拘束または身体的なストレスに直接的または間接的に対応する。ユーザー・インターフェイス８は、任意の既知のタイプ、例えば、キーボードまたはタッチ・スクリーンであり得る。
【００４１】
本発明に係る制御装置５は、少なくとも１つのセンサー信号ＳＥ１，ＳＥ２が入力され、且つユーザー・インターフェイス８が接続される、処理装置９を備える。用語「処理装置」は、次のタスクを実施することが可能な、ハードウェア、ソフトウェア、またはハードウェアとソフトウェアの組合せに言及する。ユーザーの好みと１つ以上のセンサー信号ＳＥ１，ＳＥ２の値とを相関させ、制御装置５のメモリー１０においてユーザーの好みＵＰおよび１つ以上のセンサー信号ＳＥ１，ＳＥ２の相関値を保存し、且つ１つ以上のセンサー信号ＳＥ１，ＳＥ２に基づいて、且つメモリー時間において保存されるユーザーの好みＵＰおよび１つ以上のセンサー信号ＳＥ１，ＳＥ２の相関値に基づいて、オーディオ・プレーヤーの１つ以上の設定ＶＳ，ＥＳ，ＳＯ，ＣＳ１，ＣＳ２を制御する。
【００４２】
ユーザーの好みＵＰと少なくとも１つのセンサー信号ＳＥ１，ＳＥ２の値とを相関させることによって、処理装置９は、身体的な負担に基づいてユーザーの音響の個々の知覚についての情報を集める。ユーザーの好みＵＰおよび少なくとも１つのセンサー信号ＳＥ１，ＳＥ２が保存されるので、音響の個々の知覚についての情報は、オーディオ・プレーヤー２によってオーディオ信号ＡＳ出力を適応させるために後で用いられ得る。ユーザーが相違する身体的な活動状態におけるユーザーの好みＵＰを入力するほど、集められる情報はますます正確になる。
【００４３】
１つ以上のセンサー信号ＳＥ１，ＳＥ２に基づいて、且つメモリー１０において保存されるユーザーの好みＵＰおよび１つ以上のセンサー信号ＳＥ１，ＳＥ２の相関値に基づいて、オーディオ・プレーヤー２の１つ以上の設定ＶＳ，ＥＳ，ＳＯ，ＣＳ１，ＣＳ２を制御することによって、オーディオ信号ＡＳは、ユーザーの身体的な負担状態へと適応され得る。それは、身体的な負担に基づいてユーザーの音響の個々の知覚を考慮する、センサー信号ＳＥ１，ＳＥ２によって表現される。それは、メモリー１０において保存されるユーザーの好みＵＰおよびセンサー信号ＳＥ１，ＳＥ２の相関値によって表現される。
【００４４】
本発明に係るオーディオ・システム１は、身体的なストレスの強度が変化したとき、オーディオ・プレーヤー２の設定ＶＳ，ＥＳ，ＳＯ，ＣＳ１，ＣＳ２を再調節する必要性を減じることによって、任意のユーザーの快適性を著しく改善し得る。さらに、任意のユーザーの快適性は、身体的な活動中に不快な音響という結果になり得るオーディオ・プレーヤーの設定ＶＳ，ＥＳ，ＳＯ，ＣＳ１，ＣＳ２を自動的に回避することによって改善され得る。
【００４５】
本発明の好ましい実施形態によれば、１つ以上のセンサー信号ＳＥ１，ＳＥ２は、ユーザーの生物学的なパラメーターを検出するように構成される１つ以上のバイオ・センサーの１つ以上のセンサー信号ＳＥ１を備える。
【００４６】
本発明の好ましい実施形態によれば、１つ以上のバイオ・センサーの１つ以上の信号ＳＥ１は、体温センサーの信号、パルス・センサーの信号、呼吸運動センサーの信号、呼吸流量センサーの信号、パルス酸素測定センサーの信号、血圧計の信号、カプノグラフの信号および／または最大酸素摂取量センサーの信号を備える。
【００４７】
本発明の好ましい実施形態によれば、１つ以上のセンサー信号ＳＥ１，ＳＥ２は、ユーザーの身体的な活動に関連するパラメーターを検出するように構成される１つ以上の活動センサーの１つ以上の信号ＳＥ２を備える。
【００４８】
本発明の好ましい実施形態によれば、１つ以上の活動センサーの１つ以上の信号ＳＥ２は、歩数計の信号、距離計の信号および／または活動タイム・キーパーの信号を備える。
【００４９】
本発明の好ましい実施形態によれば、処理装置９は、環境音響の物理的な特性に対応する１つ以上の測定信号ＭＳに基づいて、オーディオ・プレーヤーの１つ以上の設定を制御するように構成される。
【００５０】
図２は、身体的な活動中に適応性のあるオーディオ再生のためのオーディオ・システム１の第２の実施形態を図解する。
【００５１】
本発明の好ましい実施形態によれば、制御装置５は、オーディオ・システム１のユーザーの身体的な負担に対応する１つ以上のセンサー信号ＳＥ１，ＳＥ２を提供するように構成される１つ以上のセンサー６，７を備える。
【００５２】
本発明の好ましい実施形態によれば、１つ以上のセンサー６，７は、ユーザーの生物学的なパラメーターを検出するように構成される１つ以上のバイオ・センサー６を備える。ここで用いられるような用語「バイオ・センサー」は、人間でまたはの中に身体的および化学的な生命現象を測定する装置に言及する。そのようなセンサー６は、直接的に且つリアル・タイムで、オーディオ・システム１のユーザーの身体的な負担を検出することを可能にする。
【００５３】
本発明の好ましい実施形態によれば、１つ以上のバイオ・センサー６は、体温センサー、パルス・センサー、呼吸運動センサー、呼吸流量センサー、パルス酸素測定センサー、血圧計、カプノグラフおよび／または最大酸素摂取量センサーを備える。
【００５４】
本発明の好ましい実施形態によれば、１つ以上のセンサー６，７は、ユーザーの身体的な活動に関連するパラメーター（ｐａｒａｍｅｔｅｒ（ｓ））を検出するように構成される１つ以上の活動センサー７を備える。そのようなパラメーターは、活動の継続時間、強度および／またはタイプを記述する全てのパラメーターを含む。活動センサー７は、身体的な負担という結果になる最終的な活動のように直接的にオーディオ・システム１のユーザーの身体的な負担を検出することを可能にする。活動センサー７およびバイオセンサー６の両方は、排他的にまたは互いに組み合わせて用いられ得る。
【００５５】
本発明の好ましい実施形態によれば、１つ以上の活動センサー７は、歩数計、距離計および／または活動タイム・キーパーを備える。
【００５６】
本発明の好ましい実施形態によれば、１つ以上の設定ＶＳ，ＥＳ，ＳＯ，ＣＳ１，ＣＳ２は、ボリューム制御設定ＶＳ、イコライザー制御設定ＥＳ、オーディオ源選択設定ＳＯ、ダイナミック・レンジ圧縮制御設定ＤＳおよび／またはオーディオ・コンテンツ選択設定ＣＳ１，ＣＳ２を備える。
【００５７】
ボリューム制御設定ＶＳは、オーディオ・プレーヤー２のボリューム制御１３で、オーディオ信号ＡＳのボリュームを設定するために用いられ得る。ボリューム制御設定ＶＳを適応することによって、ボリュームは、身体的なストレスに基づいてユーザーのボリュームの個々の知覚に従って自動的に制御され得る。
【００５８】
イコライザー制御設定ＥＳは、オーディオ・プレーヤー２のイコライザー１４で、オーディオ・プレーヤーの周波数応答を制御するために用いられ得る。イコライザー制御設定ＥＳを適応することによって、オーディオ信号ＡＳの度数分布は、身体的なストレスに基づいてユーザーの度数分布の個々の知覚に従って自動的に制御され得る。
【００５９】
ダイナミック・レンジ圧縮制御設定ＤＳは、オーディオ・プレーヤー２のコンプレッサー／エキスパンダー１６で、オーディオ信号ＡＳのダイナミック・レンジを設定するために用いられ得る。これは、とりわけ、知覚される音量および鮮明さに影響を及ぼすだろう。ダイナミック・レンジ圧縮制御設定ＤＳを適応することによって、圧縮／拡張は、身体的なストレスに基づいてユーザーの個々の知覚に従って自動的に制御され得る。
【００６０】
オーディオ源選択設定ＳＯは、そのような実施形態においてさらに処理する源信号Ｓ１，Ｓ２を選択するために用いられ得る。オーディオ・プレーヤー２は、オーディオ・プレーヤー２の源選択段階１５で、複数のオーディオ源３を備える。選択信号Ｓ３は、ボリューム制御１３へと転送され得、その後でボリューム制御信号Ｓ４としてイコライザー１４へと転送され、且つその後でコンプレッサー／エキスパンダー１６へとボリューム制御および等化信号Ｓ５として転送される。しかしながら、ボリューム制御１３、イコライザー１４および／またはコンプレッサー／エキスパンダー１６の順序は変更され得る。
【００６１】
そのうえ、オーディオ・コンテンツ選択設定ＣＳ１，ＣＳ２は、特定のオーディオ源３の源信号Ｓ１，Ｓ２のコンテンツを制御するために用いられ得る。用語「オーディオ・コンテンツ選択」は、とりわけ、コンテンツのタイプ、例えば、スピーチまたは音楽を選択すること、スピーチのジャンル、例えば、ニュースまたはフィクションを選択すること、音楽のジャンル、例えば、ビートまたはソウルを選択すること、具体的なパラメーター、例えば、リズムおよびスピードを有する音楽を選択すること、または所定のプレイリストを選択することに言及する。オーディオ・コンテンツ選択設定ＣＳ１，ＣＳ２を適応することによって、オーディオ信号ＡＳのオーディオ・コンテンツは、身体的なストレスに基づいてユーザーのオーディオ・コンテンツの個々の知覚に従って自動的に制御され得る。
【００６２】
本発明の好ましい実施形態によれば、１つ以上のオーディオ源３，４は、リモート・オーディオ・データＲＤに基づいて源信号Ｓ１を提供するために構成されるオーディオ・データ・レシーバー３を備える。リモート・オーディオ・データＲＤは、オーディオ・プレーヤー２でローカルに保存されないそのようなオーディオ・データである。レシーバー３は、インターネット・ラジオ・レシーバーを含むアナログまたはデジタル・ラジオ・レシーバー３、または他のインターネット・サービスを受け取るように構成されるレシーバーであり得る。
【００６３】
本発明の好ましい実施形態によれば、１つ以上のオーディオ源３，４は、ローカル・オーディオ・データＬＤに基づいて源信号Ｓ２を提供するために構成されるオーディオ・データ・リーダー４を備える。オーディオ・データ・リーダー４は、例えば、ＭＰ３デコーダまたはｗａｖファイル・デコーダであり得る。オーディオ・データは、ハード・ドライブ、固体メモリー、ＣＤまたはＤＶＤからのようなローカルに利用可能なオーディオ・データ・キャリア１１から読み出され得る。
【００６４】
本発明の好ましい実施形態によれば、処理装置５は、環境音響ＡＢの物理的な特性に対応する１つ以上の測定信号ＭＳを提供するために構成される１つ以上のセンサー１２を備える。これらの特徴によって、オーディオ信号ＡＳは、環境音響ＡＢの総計および／または特性へと適応され得る。
【００６５】
本発明の好ましい実施形態によれば、処理装置９は、ユーザーの好みＵＰと環境音響ＡＢの物理的な特性に対応する測定信号ＭＳの値とを相関させるように構成され、メモリー１０においてユーザーの好みＵＰおよび環境音響ＡＢの物理的な特性の相関値を保存するようにさらに構成され、且つメモリー１０において保存されるユーザーの好みＵＰおよび環境音響ＡＢの物理的な特性の相関値に基づいてオーディオ・プレーヤー２の１つ以上の設定ＶＳ，ＥＳ，ＳＯ，ＣＳ１，ＣＳ２を制御するようにさらに構成される。これらの特徴によって、オーディオ信号ＡＳは、ユーザーによる環境音響ＡＢの個々の知覚に従って適応され得る。
【００６６】
本発明の目的は、身体的な活動中に適応性のあるオーディオ再生のための方法によってさらに達成され、オーディオ再生のための方法は、
１つ以上のオーディオ源３，４を有し、且つ１つ以上のオーディオ源３，４によって提供される１つ以上の源信号に基づいてオーディオ信号ＡＳを出力するように構成されるオーディオ・プレーヤー２を提供するステップと、
オーディオ信号ＡＳに影響を及ぼす、オーディオ・プレーヤー２の１つ以上の設定ＶＳ，ＥＳ，ＳＯ，ＣＳ１，ＣＳ２を制御するように構成される制御装置５を提供するステップと、
オーディオ・システム１のユーザーの身体的な負担に対応する１つ以上のセンサー信号ＳＥ１，ＳＥ２を提供するステップと、
制御装置５のユーザー・インターフェイス８で、オーディオ・プレーヤー２の１つ以上の設定ＶＳ，ＥＳ，ＳＯ，ＣＳ１，ＣＳ２のためにユーザーの好みＵＰを入力するステップと、
制御装置５の処理装置９を用いることによって、ユーザーの好みＵＰと１つ以上のセンサー信号ＳＥ１，ＳＥ２の値とを相関させるステップと、
制御装置５の処理装置９を用いることによって、制御装置のメモリー１０においてユーザーの好みＵＰおよび１つ以上のセンサー信号ＳＥ１，ＳＥ２の相関値を保存するステップと、
制御装置５の処理装置９を用いることによって、１つ以上のセンサー信号ＳＥ１，ＳＥ２に基づいて、且つメモリー１０において保存されるユーザーの好みＵＰおよび１つ以上のセンサー信号ＳＥ１，ＳＥ２の相関値に基づいて、オーディオ・プレーヤー２の１つ以上の設定ＶＳ，ＥＳ,ＳＯ，ＣＳ１，ＣＳ２を制御するステップとを備える。
【００６７】
さらに、本発明の目的は、コンピュータまたは処理装置で動作するとき、発明の方法を実行するプログラムによってさらに達成される。
【００６８】
本発明は、例えば、身体的なエクササイズの程度およびタイプ、最大酸素摂取量のようなバイオ感覚データ、体温、仕事量またはエクササイズ時間、不快を弱めることの個々に好ましいタイプおよび総計、個々のヒアリングの好みのような相違する関連要因に基づいて、音響再生を自動的に再調節する適応性のある技術システム１を提供する。システム１は、例えば、適応性のある音量と、スポーツ活動のバイオ感覚データとオーディオ信号特徴とを組み合わせて処理する周波数整形とを提供し得る。同様に、具体的な身体的な活動に関連する個々のオーディオ設定の好みを学習するアルゴリズムが提供され得る。
【００６９】
本発明は、いずれにせよ、ユーザーの身体的／知覚的／心理的な状態の表現であるべき、バイオ・センサーおよび／または直接的なユーザーのフィードバックから収集されるデータに基づいて、オーディオ装置、通信装置、またはマルチメディア装置のような電子装置の音響出力を制御するシステムおよび方法を提供する。本発明のシステムの出力は、パラメーターの相違するセットに基づいて処理された、音響信号であり得る。
【００７０】
本発明の一実施形態は、スポーツ活動および身体的なエクササイズに関連するデータ（例えば、最大酸素摂取量、体温、心拍数）を測定するバイオ・センサー、またはエクササイズに関連するタイプおよび仕事量（ジョギング距離、継続時間など）を検出するセンサーを含むシステムである。これらのデータは、音響出力を次第に修正するアルゴリズムによってその後に用いられる。例えば、ボリュームまたは高周波コンテンツは、体温の増加に伴って、および／またはエクササイズの継続時間の増加に伴って減じられ得る。
【００７１】
本発明のもう１つの実施形態において、システムは、ユーザーが彼のまたは彼女の個人的に好ましい設定（例えば、ボリューム制御、イコライザー設定、プレイリスト、ジャンルなど）を入力できることを用いる入力インターフェイスを備える。システムは、ユーザーによって選択される設定を保存するメモリーと、ユーザーによって選択される設定を上述したようなセンサーから受け取った入力に関連付けるアルゴリズムとをさらに備え得る。時間とともに、システムは、選択される設定とセンサー・データとの間の関係を学習し、且つ音響処理を自動的に調節することができ、それによって、ユーザーからの任意のさらなる行為なしに自律的に振る舞う。
【００７２】
本発明のもう１つの実施形態において、システムは、身体的なエクササイズが行われる環境から音響をピック・アップすることができる、少なくとも１つのマイクロホンを備える。バックグラウンド音響の身体的な特性に基づいて、システムは、可聴を維持するために、またはユーザーの好みが環境音響の好みにおいてさえもまた満たされることを保証するために、プレイバック・オーディオを処理する。
【００７３】
本発明の追加の実施形態は、処理された音響出力を生成する上述した実施形態の組合せを用いる。
【００７４】
本発明のシステムは、これらのエクササイズ中にボリュームを再調整するこれらの必要性を減じることによって、且つエクササイズのコース中に不快に変わる音響設定を回避することによって、アマチュアだけでなくアスリートの快適性をも著しく改善し得る。システムが自動化された処理の結果としてボリューム・パターンを変更し得るように、聴覚刺激（特に、大きな音）の存在においてエクササイズすることの度々説明された余効は、増大された一時的なヒアリング閾値から恒久的な閾値の変動または／および耳鳴りまで及び、著しく減じられ得る。
【００７５】
技術的な応用領域は、次のものを含むが、限定されない。
携帯用オーディオ装置（例えば、ｍｐ３プレーヤー）のためのソフトウェアおよび／またはハードウェア、
例えば、屋内スポーツ活動のために用いられる固定されたオーディオ・プレーヤーのためのソフトウェアおよび／またはハードウェア、
携帯用音響補強システム、例えば、ヘッドホンのためのソフトウェアおよび／またはハードウェア、
身体的な活動中にオーディオを再生するパーソナル・コンピュータで動作されるソフトウェア、
スマートホン、およびスポーツ活動のためのツールおよびガジェット（距離カウンター、バイオ・センサーなど）を提供する他の携帯用装置ための特別なアプリ。
【００７６】
幾つかの態様が装置のコンテキストにおいて説明されたけれども、これらの態様が対応する方法の説明もまた表現することは明らかであり、そこでは、ブロックまたは装置が方法ステップまたは方法ステップの特徴に対応する。類似して、方法ステップのコンテキストにおいて説明された態様は、対応するブロック若しくはアイテムまたは対応する装置の特徴の説明もまた表現する。方法ステップの幾つかまたは全ては、例えば、マイクロ処理装置、プログラマブル・コンピュータまたは電子回路のような、ハードウェア装置によって（またはを用いて）実施され得る。幾つかの実施形態において、最も重要な方法ステップのいずれか１つ以上は、そのような装置によって実施され得る。
【００７７】
特定の実装要求に依存して、本発明の実施形態は、ハードウェアにおいてまたはソフトウェアにおいて実装され得る。その実装は、そこで保存される電子的に読み取り可能な制御信号を有し、方法それぞれが実行されるようなプログラマブル・コンピュータ・システムと協働する（または協働することが可能な）、デジタル記憶媒体、例えば、フロッピー・ディスク、ＤＶＤ，Ｂｌｕ−Ｒａｙ，ＣＤ，ＲＯＭ，ＰＲＯＭおよびＥＰＲＯＭ，ＥＥＰＲＯＭまたはＦＬＡＳＨメモリーのような非一時的な記憶媒体を用いて実行され得る。したがって、デジタル記憶媒体は、コンピュータ読み取り可能であり得る。
【００７８】
本発明に係る幾つかの実施形態は、電子的に読み取り可能な制御信号を有するデータ・キャリアを備える。それは、ここで説明された方法の１つが実行されるような、プログラマブル・コンピュータ・システムと協働することができる。
【００７９】
一般に、本発明の実施形態は、プログラム・コードを伴うコンピュータ・プログラム製品として実装され得、そのプログラム・コードが、コンピュータ・プログラム製品がコンピュータで動作する場合、方法の１つを実行するために働く。プログラム・コードは、例えば、機械読み取り可能なキャリアで保存され得る。
【００８０】
他の実施形態は、機械読み取り可能なキャリアで保存される、ここで説明された方法の１つを実行するコンピュータ・プログラムを備える。
【００８１】
言い換えると、本発明の方法の一実施形態は、それ故に、コンピュータ・プログラムがコンピュータで動作する場合、ここで説明された方法の１つを実行するプログラム・コードを有するコンピュータ・プログラムである。
【００８２】
本発明の方法のさらなる実施形態は、それ故に、そこで保存される、ここで説明された方法の１つを実行するコンピュータ・プログラムを備えるデータ・キャリア（若しくはデジタル記憶媒体またはコンピュータ読み取り可能な媒体）である。データ・キャリア、デジタル記憶媒体または記録媒体は、典型的に、実体的および／または非過渡的である。
【００８３】
本発明の方法のさらなる実施形態は、それ故に、ここで説明された方法の１つを実行するコンピュータ・プログラムを表現するデータ・ストリームまたは信号のシーケンスである。データ・ストリームまたは信号のシーケンスは、例えば、データ通信接続を介して、例えば、インターネットを介して、伝送されるように構成され得る。
【００８４】
さらなる実施形態は、ここで説明された方法の１つを実行するように構成される、または適応される処理手段、例えば、コンピュータまたはプログラマブル論理装置を備える。
【００８５】
さらなる実施形態は、ここで説明された方法の１つを実行するコンピュータ・プログラムをそこでインストールされたコンピュータを備える。
【００８６】
本発明に係るさらなる実施形態は、ここで説明された方法の１つを実行するコンピュータ・プログラムをレシーバーへと（例えば、電子的にまたは光学的に）伝送するように構成される装置またはシステムを備える。レシーバーは、例えば、コンピュータ、モバイル装置、メモリー装置などであり得る。装置またはシステムは、例えば、コンピュータ・プログラムをレシーバーへと伝送するファイル・サーバーを備え得る。
【００８７】
幾つかの実施形態において、プログラマブル論理装置（例えば、フィールド・プログラマブル・ゲート・アレイ）は、ここで説明された方法の機能性の幾つかまたは全てを実行するために用いられ得る。幾つかの実施形態において、フィールド・プログラマブル・ゲート・アレイは、ここで説明された方法の１つを実行するために、マイクロ処理装置と協働し得る。一般に、方法は、好ましくは、任意のハードウェア装置によって実行される。
【００８８】
上記で説明した実施形態は、単に、本発明の原理のための例示である。ここで説明された配置および詳細の修正および変形が、他の当業者にとって明らかであろうことが理解される。それ故に、差し迫った特許請求の範囲によってのみ限定され、且つここでの説明および実施形態の解説として提供された具体的な詳細によって限定されないことを意図する。
【００８９】
引用符号
１  オーディオ・システム
２  オーディオ・プレーヤー
３  オーディオ源、オーディオ・データ・レシーバー
４  オーディオ源、オーディオ・データ・リーダー
５  制御装置
６  バイオ・センサー
７  活動センサー
８  ユーザー・インターフェイス
９  処理装置
１０  メモリー
１１  データ記憶媒体
１２  マイクロホン
１３  ボリューム制御
１４  イコライザー
１５  源選択段階
１６  コンプレッサー／エキスパンダー
ＡＳ  オーディオ信号
Ｓ１  源信号
Ｓ２  源信号
ＶＳ  ボリューム制御設定
ＥＳ  イコライザー制御設定
ＤＳ  ダイナミック・レンジ制御設定
ＳＯ  オーディオ源選択設定
ＣＳ１  オーディオ・コンテンツ選択設定
ＣＳ２  オーディオ・コンテンツ選択設定
ＳＥ１  センサー信号
ＳＥ２  センサー信号
ＵＰ  ユーザーの好み
ＲＤ  リモート・データ
ＬＤ  ローカル・データ
ＭＳ  測定信号
ＡＢ  環境音響
Ｓ３  選択信号
Ｓ４  ボリューム制御信号
Ｓ５  ボリューム制御および等化信号
【図１】
2017524149.tif 000003
【図２】
2017524149.tif 000004
【図３】
2017524149.tif 000005
【国際調査報告】
2017524149.tif 000006
2017524149.tif 000007
2017524149.tif 000008